(57)【特許請求の範囲】
【請求項１】
第１の脚部（６；６’；１０６；２０６；３０６）と、第２の脚部（８；８’；１０８；２０８；３０８）と、第３の脚部（１０；１０’；１１０；２１０；３１０）と、第１のヨーク部（２ａ〜ｃ；１０２ａ〜ｃ；２０２ａ〜ｃ）と、第２のヨーク部（４ａ〜ｃ；１０４ａ〜ｃ；２０４ａ〜ｃ）とを備えた磁性材料から成る磁心であって、
磁性材料製のワイヤおよび／またはストリップから成るループ（１２，１４，１６；１２’，１４’，１６’；１１２，１１４，１１６；２１３，２１４，２１６）と、
前記ループの各々が前記脚部のうちの２つの脚部の一部分を構成することと；を備えた磁心において、
２つの異なる脚部の一部分を構成するループが、前記脚部のうちの共通の脚部にて交互に挟み込み配置されていることを特徴とする磁心。
【請求項２】
前記ループの各々が、磁性材料製のワイヤおよび／またはストリップから成る複数の層を備える、請求項１に記載の磁心。
【請求項３】
前記層の各々が、菱形の断面を形成するように各ストリップが隣接するストリップからずれた複数のストリップ（１２ａ〜ｅ）を有する、請求項２に記載の磁心。
【請求項４】
前記層の各々が、複数のワイヤ（１１２ａ）、好ましくは正方形の断面積を備えたワイヤを有する、請求項２に記載の磁心。
【請求項５】
前記第１の脚部（６，１０６）、第２の脚部（８；１０８）および第３の脚部（１０；１１０）は、該脚部の配置が三角のパターンで提供される、請求項１〜４のいずれかに記載の磁心。
【請求項６】
前記脚部（２０６，２０８，２１０）が一列に並んで提供される、請求項１〜４のいずれかに記載の磁心。
【請求項７】
前記磁性材料は非晶質材料である、請求項１〜６のいずれかに記載の磁心。
【請求項８】
前記脚部は本質的に円形の断面積を有する、請求項１〜７のいずれかに記載の磁心。
【請求項９】
前記脚部は本質的に楕円の断面積を有する、請求項１〜７のいずれかに記載の磁心。
【請求項１０】
前記脚部は磁性材料から構成される、請求項１〜９のいずれかに記載の磁心。
【請求項１１】
一つのワイヤまたはストリップが複数のループに使用される、請求項１〜１０のいずれかに記載の磁心。
【請求項１２】
前記ループ（１２’，１４’，１６’）の全部が、１つの共通の脚部（６’）を有する、請求項１〜１１のいずれかに記載の磁心。
【請求項１３】
前記脚部（３０６，３０８，３１０）の各々が、非導電材料の部分（３２２ａ〜ｃ）を有する、請求項１〜１２のいずれかに記載の磁心。
【請求項１４】
第１および第２のヨークによって相互に連結された第１、第２、第３の脚部を備えた磁性材料から成る磁心と、前記脚部の周りに巻かれた第１および第２の巻線とを備えた三相変圧器であって、前記磁心が請求項１〜１１のいずれかに記載の磁心（１，１０１，２０１）であることを特徴とする三相変圧器。
【請求項１５】
第１、第２、第３の脚部を備えた磁性材料から成る磁心と、前記第１の脚部（６’）の周りに巻かれた第１および第２の巻線とを備えた一相変圧器であって、第１の脚部（６’）および第２の脚部（８’）と、第１の脚部（６’）および第３の脚部（１０’）との各々が、第１のヨーク部（２ａ，２ｂ）および第２のヨーク部（４ａ，４ｂ）により相互に連結され、第２の脚部（８’）と第３の脚部（１０’）を相互に連結させる前記ループ（１６）が省略され、かつ第２の脚部（８’）と第３の脚部（１０’）を相互に連結する第１のヨーク部（２ｃ）および第２のヨーク部（４ｃ）は省略されている、前記磁心（１’）が請求項１２に記載の磁心である一相変圧器。
【請求項１６】
第１および第２のヨークによって相互に連結された第１、第２、第３の脚部を備えた磁性材料から成る磁心と、前記脚部の周りに巻かれた巻線とを備えた三相変圧器であって、前記磁心が請求項１３に記載の磁心（３０１）であることを特徴とする三相変圧器。
【請求項１７】
第１の脚部（６；１０６；２０６；３０６）と、第２の脚部（８；１０８；２０８；３０８）と、第３の脚部（１０；１１０；２１０；３１０）と、第１のヨーク（２ａ〜ｃ；１０２ａ〜ｃ；２０２ａ〜ｃ）と、第２のヨーク（４ａ〜ｃ；１０４ａ〜ｃ；２０４ａ〜ｃ）とを備えた磁性材料から成る磁心を製造する方法であって、
ａ）磁性材料製のワイヤおよび／またはストリップから成る第１のループ（１２；１１２；２１２）を巻き付ける工程であって、前記第１のループは、前記第１の脚部と第２の脚部の一部を構成する工程と、
ｂ）磁性材料製のワイヤおよび／またはストリップから成る第２のループ（１４；１１４；２１４）を巻き付ける工程であって、前記第２のループは、前記第２の脚部と第３の脚部の一部を構成する工程と、
ｃ）磁性材料製のワイヤおよび／またはストリップから成る第３のループ（１６；１１６；２１６）を巻き付ける工程であって、前記第３のループは、前記第３脚部と前記第１脚部の一部を構成する工程と、
ｄ）前記脚部の最終の断面形状が得られるまで、工程ａ）〜ｃ）を繰り返す工程と、から成る方法。
【請求項１８】
前記ループは、好ましくは円錐形の断面をしたスタンド上に、別々に巻き付けられる、請求項１７に記載の方法。
【請求項１９】
前記複数のストリップ（１２ａ〜ｅ）の各々は一定の幅を有する請求項３に記載の磁心。
【発明の詳細な説明】
【０００１】
（発明の属する技術分野）
本発明は、磁性材料より作られた磁心に関し、より詳細には、脚部と該脚部を相互に連結するヨークとを備えた変圧器または誘導器の磁心に関する。本発明はさらに、そのような磁心を備えた変圧器または誘導器ならびにそのような磁心の製造方法に関する。
【０００２】
（背景）
変圧器の磁心は鉄などの強磁性体から構成される。この材料は一定の幅のストリップまたはワイヤに容易に切断可能な、いわゆる変圧器プレートの形で提供される。これらのストリップまたはワイヤは次に、１または複数の脚部と相互連結ヨークとを備えた磁心にまとめられる。
【０００３】
スウェーデン特許公報ＳＥ第１６３  ７９７号（Ｗｉｅｇａｎｄ）は、磁性材料から成る３本のループがまとまってデルタ形のヨークを備えたケージ磁心を形成する、変圧器の磁心の製造方法を開示している。しかしながら、得られた磁心は、いくつかの欠点を有する。第１に、異なる複数のループは比較的互いに滑り合う傾向があるので、磁心が機械的安定性に乏しい。第２に、円形の脚部領域が、効率的な方法で埋められない。
【０００４】
現時点では、圧延ストリップやミルドストリップよりも優れた機械的特性と磁性特性を有するワイヤがある。その例が、国際特許国際公開公報ＷＯ第９９／２８９１９号（Ａｓｅａ  Ｂｒｏｗｎ  Ｂｏｗｅｒｉ）に開示されており、該公報では磁性磁心アセンブリが磁性材料のワイヤから構成されている。しかしながら、脚部によるループ間の磁束の変化が、ループ中の個々のワイヤ間の空隙によって妨げられる。これらの空隙を、例えば磁性複合物で埋めることはできるが、その効率は限られている。
【０００５】
（発明の概要）
本発明の目的は、先行技術の問題を完全に排除するか少なくとも軽減する、磁性材料から成る磁心を提供することにある。
本発明は、変圧器または誘導器の磁心を、異なるリングのストリップまたはワイヤが磁心の脚部で交互に挟み込み配置されたストリップまたはワイヤのループまたはリングによって作製することができるという認識に基づいている。
【０００６】
本発明によれば、請求項１に定義した磁性材料から成る磁心が提供される。
請求項１４に定義したような三相変圧器、請求項１５に定義したような一相変圧器、および請求項１６に定義したような誘導器も提供される。磁心の製造方法を請求項１７に定義する。
【０００７】
本発明による磁心を用いると、先行技術の上述の欠点が排除されるか少なくとも軽減される。本発明の磁心の磁束の通路は先行技術よりも改善され、磁性材料の交互配置は磁心に機械的安定性をも提供する。
【０００８】
従属請求項は本発明のさらに好ましい実施形態を定義する。
（発明の詳細な説明）
本発明を添付図面を参照しながら、例示として説明する。
以下、本発明による磁心の好ましい実施形態の説明を与える。説明では、限定ではなく説明の目的で、本発明についての完全な理解を提供するために、特定のハードウェア、用途、技術などの特定の詳細を述べる。しかしながら、当業者には、本発明をそのような特定の詳細から外れた他の実施形態に使用できることが明白である。他の例では、よく知られている方法、装置および回路の詳述は、不必要な詳細でもって本発明の説明を不明瞭にしないために省略する。また、特定の数のストリップまたはワイヤの巻きを図示するが、示された数は本発明の明瞭な説明を与えるものであって、実際の巻きの数と寸法は用途、ワイヤまたはストリップの厚さなどに応じて変わることが理解されよう。
【０００９】
図１には、本発明による磁心の１実施形態の全体形状の透視図が示されている。磁心は、２つの略デルタ形または三角形のヨーク、つまり部分２ａ〜ｃから成る上部ヨークおよび部分４ａ〜ｃから成る下部ヨークと、ヨークの三角形の角部を相互に連結させる３本の脚部６，８，１０とを備えている。この一般的な形の磁心を、以下「ケージ磁心」と称する。
【００１０】
本説明での特定のケージ磁心は、鉄のような磁性材料から成るワイヤまたはストリップで同時に巻かれた３本の脚部を有している。例えば図２および６に見られるように、各脚部は円形または本質的に円形の断面を有している。
【００１１】
本発明によるケージ磁心の第１の実施形態を、ここで、図２，２ａ，２ｂ，３を参照しながら説明する。例えば、磁心１は、変圧器プレートのストリップから巻かれたほぼ長方形の「漏斗形」の形をした複数のフレームから作製されている。用語「漏斗形」の使用によって、フレームの断面が強調される。ストリップはすべて一定の幅をしており、それにより、材料にかかる費用と無駄を低減し、磁心の製造も容易にする。
【００１２】
脚部６，１０にその断面で印を付けた、図２の磁心から取り上げた漏斗形フレーム１２の例を、図２ａに示す。この例では５回巻きであるが、漏斗形フレームが多くの巻数のストリップ１２ａ〜ｅを含むことが理解される。巻きの各々は、本質的に菱形の断面を形成するように、隣接する巻きからわずかにずらす。本質的に長方形断面のストリップを使用した場合、巻きの長辺はわずかにギザギザになる。しかし、ストリップの厚さが小さいためそのギザギザになった部分は無視できる程度であり、そのような事実が磁心の全体的性能を低下させることはない。漏斗形フレームの２つの断面は相互に長斜方形に集束しており（図２ａ参照）、そのため「漏斗形」を作成する。長斜方形の傾斜を示す角αは３０度である。つまり、２つの長斜方形は、６０度の相互角を有する。
【００１３】
図２ｂにフレーム１２の側面図を示す。フレームは、所望の巻数に巻かれた１つのストリップから構成されている。各巻き１２ａ〜ｅは丸まった角部を備えた滑らかな略長方形をしていることがここで理解される。この丸まった角部は磁界の十分な通路の提供を支援する。
【００１４】
図２を再び参照すると、漏斗形フレーム１２よりわずかに大きな直径をした別の漏斗形フレーム１４が、脚部６と８の間で巻かれることが理解される。他のすべての面で、漏斗形フレーム１４は漏斗形フレーム１２と同一である。脚部８と１０の間で、かつ漏斗形フレーム１２，１４の外側には、第３の漏斗形フレーム１６が巻かれている。第３の漏斗形フレームは最初の２つのフレームと同じ一般的な形をしている。しかしながら、円を埋めるのに必要な幅の増大を考慮に入れるために、第３の漏斗形フレームは漏斗形フレーム１２，１４より多くの巻きを有する。かくして、３つの漏斗形フレーム１２，１４，１６は相互に１２０度回転する関係にあり、そのため三角形を形成する。
【００１５】
この最初の３つのフレームの外側に、次の漏斗形フレームが、同じ順序で（つまり図で見ると反時計回り）に巻かれる。次の漏斗形フレームの幅は、各脚部６，８，１０の周囲に点線の円で示したように、得られる脚部の断面をほぼ円形にするように適合される。このように、２つの脚部間に位置する漏斗形フレームで構成されたループのうちの１つのループからのストリップには、２つの脚部間に位置する漏斗形フレームで構成されたループのうちの別のループからのストリップが交互に挟み込み配置される。１つの脚部はその２つのループに共通である。
【００１６】
磁心内のショートを回避するために、各漏斗形フレームは隔離ストリップにより隣接する漏斗形フレームから隔離される。ストリップより作製されたケージ磁心の最終形状が、磁心の下半分の側面図である図３に見られる。上半分（図示しない）は下半分の鏡像である。
【００１７】
変圧器または誘導器を、図２，３に示したケージ磁心１に基づいて作製するとき、脚部６，８，１０の周囲に巻線が巻きつけられる。これにより、先行技術のケージ磁心と比べて改善された電気的・機械的性質を有する三相装置が得られる。
【００１８】
図２，３に示した三相ケージ磁心の派生物が図４に示した一相磁心１’である。この磁心は、三相の磁心と本質的に同一であるが、脚部８，１０を相互に連結させる漏斗形フレームが省略されている。この一相の磁心１’は第１の内側の漏斗形フレーム’１２と６０度の相互角で漏斗形フレーム１２’の外側に巻かれた第２の漏斗形フレーム１４’とを備えている。これは、図２に示したものと同一である。しかしながら、脚部８’，１０’を相互に連結させる第３の漏斗形フレームを備える代わりに、第３の漏斗形フレーム１６は脚部６’と１０’の間の漏斗形フレーム１２’の外側に、フレーム１２’と平行に巻かれる。次の漏斗形フレームは、本質的に円形の脚部６’が構成されるまで６’，８’と６’，１０’の間を交互に巻かれる。この一相の磁心１’に基づく変圧器または誘導器が完成すると、脚部６の周囲に巻線が巻きつけられる。脚部８’および１０’が不規則な断面形状を有することは、重要ではない。
【００１９】
本発明による三相ケージ磁心の第２の実施形態を、ここで、図５，６，６ａを参照しながら説明する。ケージ磁心１０１の平面図を示している図５において、３本の脚部１０６，１０８，１１０の間にいかに多層のワイヤが巻かれており、第１の実施形態と類似の「漏斗形」を形成しているかは明らかである。ワイヤは正方形の断面形状をしており（図６ａを参照）、脚部の滑らかな層を手に入れ、歯面を鋸で削らないために、ヨークのワイヤは、磁心の中心線の方に曲げられている。図６では、第１の内側の漏斗形フレーム１１２が脚部１０６と１０８の間の位置に示される。この漏斗形フレームは、図６ａでも詳細に示しており、この図では漏斗形フレームを構成するワイヤが完全に整列していることが明らかである。図６ａでは、個別ワイヤ１１２ａが正方形の断面を有することも示されている。
【００２０】
漏斗形フレーム１１２の外側で、および脚部１０６と１０８の間には、第２層のワイヤ１１４が巻かれる。脚部１０８での第２の漏斗形フレーム１１４の外側で、脚部１１０での第１の漏斗形フレーム１１２の外側には、第３層１１６が巻かれる。次の層または漏斗形フレームは、本質的に円形の脚部を作成するように、最初の３つの漏斗形フレーム１１２，１１４，１１６の外側で、幅を変えて巻かれる。ワイヤの各交互配置層は、磁心内のショートを回避するために隣接層から隔離される。
【００２１】
概して、実際の磁心では、脚部の厚さと比較して、ワイヤの厚さは無視できる。例示の目的で、図５，６に示した磁心の層は、その間に空気を有するように描かれており、このため隣接層の幅が非常に異なっている。実際には、図に示したよりも多層のワイヤが脚部には存在するだろう。
【００２２】
三相変圧器磁心の第３の実施形態を、ここで、ストリップまたはワイヤの交互配置層という本発明の同じ概念を使用した、図７〜９を参照しながら説明する。しかしながら、図７〜９に示した磁心２０１はケージ磁心ではなく３本の整列した脚部を備えた磁心である。つまり、３本の脚部が一列に共通の直線上に配置されている。この形状は、例えば長方形のスペースが磁心に利用可能な、列車ワゴンに有利に使用される。
【００２３】
磁心は３本の脚部２０６，２０８，２１０を備え、これらの端部は、部分２０２ａ〜ｃで構成された上部ヨークと部分２０４ａ〜ｃで構成された下部ヨークによって相互に連結されている。構造全体が、磁性材料製のワイヤまたはストリップの多くのリングから構成される。各リングは、２本の脚部の一部分を構成する本質的に直線の２つの対向面と、該脚部の対向面を相互に連結し、したがってヨークの部分を構成する２つの対向面とを有する。
【００２４】
基本形状を、ここで、図７，８を参照しながら説明する。第１のリング２１２が、左脚部２０６と中心脚部２０８の部分を構成するように配置される。次に、第２のリング２１４が、中心脚部２０８の領域で第１のリング２１２に重なるように配置される。第１および第２の本質的に平面のリング２１２，２１４は、形が同じかほとんど同じであり、各リングは、磁心を循環する磁束のための優れた通路を与える丸まった滑らかな角部によって相互に連結された、４つの直線状の側面を有している。
【００２５】
最後に、より大きな第３のリング２１６が、左脚部２０６と右脚部２１０の領域で第１および第２のリングと重なるように配置される。このより大きなリング２１６のヨーク側面は、第１および第２リングに干渉しないようにカーブを付けて曲げられている。
【００２６】
３つのリングから成る図８に示した基本形状は、３本の脚部と相互連結ヨークを作成している。磁心を完成するために、追加のリングが加えられる（図９を参照）。必ずしも必要事項ではないが、リングの高さは楕円に近い断面形状を備えた脚部を作成するように適合される。したがって、各脚部は、２つの他の脚部のうちの１つに交互に結びつく、交互配置リングで構成される。
【００２７】
リング２１２、２１４、２１６の各々は、一定の幅をした磁性材料から成る多数に巻いたストリップから構成される（図９ａを参照）。したがって、ストリップの巻数および厚さによって、各リングの高さｈが決定され、他方で、ストリップの幅によりリングの幅ｗが決定される。
【００２８】
この実施形態では、磁束が、ストリップのリングの側面を介して、あるヨークから別のヨークまで行くだろう。ストリップの使用の代わりは、ワイヤの使用である。ワイヤを使用する場合、磁束の変化がリングの内側のワイヤからも容易に得られるように、リングの幅を非常に小さくすべきである。ストリップの場合、幅の狭いストリップの使用とリングの交互配置により、円筒形脚部の近似が行われるが、それでも優れた磁束の変化を得ることができる。
【００２９】
本発明のケージ磁心を製造する時に使用されるスプールスタンドを、ここで図１０，１１を参照しながら説明する。図１０では、ヨーク側から見た鉄ワイヤのためのスプールスタンド３０を示す。図１１では、脚部のための２つの溝が前面に見られる側から見た同じスプールスタンドを示す。スプールスタンドは、各々１２０度移動する方向にある外向きの開口部を備えた３つの平行な溝３５ａ〜ｃと、溝の端部間にある凸面部分３６から構成されている。
【００３０】
磁心を製造するとき、円形または本質的に円形の脚部が構成されるまで、鉄ワイヤのリングまたはフレームが溝３５ａ〜ｃのうちの２つの間（例えば溝３５ａと３５ｂの間、次に溝３５ｂと３５ｃの間、次に再び溝３５ｃと３５ａの間等）で円形のパターンで巻かれる。脚部の形成を支援するために、リボンまたはレース（図示しない）を使用してもよい。支持パイプの半分３７や、分割可能なベアリング３８を使用してもよい（図１０を参照）。代わりに、磁心の全部または一部を、円錐形の断面を有するスタンドにワイヤを別々に巻き付けることによって製造されるワイヤ製の漏斗形の薄いコイルから構成することもできる。
【００３１】
図１２には、誘導器として使用されるケージ磁心の側面図が示される。この磁心３０１は、上部および下部ヨークによって相互に連結された３本の脚部３０６，３０８，３１０を有する図２，３を参照しながら説明した磁心に類似しているが、製造後に各脚部が少なくとも１箇所で切断され、距離「ｄ」の隙間によって分離された２つの磁心の半分、つまり上半分と下半分が生じる。これらの隙間は何らかの適切な非導電材料で埋められる。これによって、誘導器磁心としての使用に適した特性を与えられた、変圧器の磁心よりも磁性抵抗がはるかに大きい磁心が得られる。さらに、本発明の磁心の固有の機械的安定性が、磁心の２つ部分への分割を可能にする。
【００３２】
本発明の磁心の好ましい実施形態を説明した。当業者には、請求項の範囲内でそのような実施形態を変更し得ることがわかる。したがって、例えば上記のすべての実施形態で、磁心の形の欠陥を磁性複合材料で埋めることにより修正することができる。埋め込みは、磁心が円形のワイヤで３つの別々の巻きリングに作製されている場合には、変圧器の影響を最大限にするために必要となる可能性がある。重なっているワイヤ層によって、磁束が脚部を介してヨーク間を通過することが可能となり、変圧器の特性が改善される。
【００３３】
本発明の磁心を構成する漏斗形フレームは、丸まった角部を備えた本質的に長方形の形で示したが、ストリップまたはワイヤには可撓性の性質があるため、形を図に示したもの以外の形にできることがわかる。したがって、脚部および／またはヨーク部はわずかにカーブを付けられるか、アーチ形にされる。
【００３４】
さらに、脚部の断面は円形かほぼ円形であると述べたが、それらは円形以外の、楕円形状等であってもよい。
図５，６を参照しながら説明したワイヤ磁心の実施形態では、ヨークが磁心の中心ワイヤの方に曲がっているが、ワイヤを使用する場合、ヨークは図２に示したような形状（すなわち脚部間で直線状）を有してもよい。これは、円形、平行四辺形、菱形のような、正方形とは異なる断面形状のワイヤに関して好んで使用される。
【００３５】
さらに図６ａに示したワイヤは、正方形の断面積を有しているが、図５，６に示した一般的な磁心の形状を変更せずに、ワイヤが長方形の断面積を有してもよいことがわかる。
【００３６】
ワイヤ磁心に関して使用するワイヤは、鉄ワイヤとして説明したが、ワイヤが所望の特性を有する任意の適切な磁性材料であってもよいことは勿論である。ワイヤはさらに非晶質材料であってもよい。
【００３７】
誘導器の磁心としては、ケージ磁心の形態のみしか示さなかったが（図１２を参照）、一列に並んだ脚部を備えた磁心（図７〜９を参照）が、誘導器の磁心として等しく適していることは理解される。
【００３８】
本明細書で説明した磁心はすべて、ストリップおよび／またはワイヤから成る多数のフレームまたはリングを有する。図１〜６を参照しながら説明したケージ磁心の実施形態では、磁心が磁性材料から成る多くの個別のフレームまたはリングを備えるものとして説明されているが、フレームの一部または全部に、１つのストリップかワイヤを使用きることが理解される（つまり、１つのフレームを巻く時に、その第１のストリップまたはワイヤを切断しないか、新しいストリップまたはワイヤを用いずに、別のフレームを同じストリップまたはワイヤから巻く）。これによって、磁心の三つの側面のうちの別の側面の巻き付けのために磁心を１２０度回転させるという短期間だけ中断され得る、連続的な製造プロセスが可能となる。
【図面の簡単な説明】
【図１】三相のケージ磁心の一般的な形を示す。
【図２】磁性材料製ストリップより作製された図１に示した磁心の断面図。
【図２ａ】図２に示した磁心に含まれる、磁性材料から成る漏斗形フレームの詳細図。
【図２ｂ】図２ａに示した漏斗形フレームの側面図。
【図３】図２に示した磁心の一部の側面図。
【図４】図２，３に示した三相の磁心から派生した一相変圧器の磁心の断面図。
【図５】磁性材料のワイヤより作製された磁心の平面図。
【図６】図５に示した磁心の断面図。
【図６ａ】図６のコアに含まれる磁性材料製フレームの詳細図。
【図７】整列した脚部を備えた三相変圧器の側面図。
【図８】図７に示した磁心の１層の平面図。
【図９】図７に示した磁心のいくつかの交互配置層の平面図である；
【図９ａ】図９に示した磁心の脚部の詳細な断面図である；
【図１０】本発明のケージ磁心の製造のために使用されるフレームの側面図。
【図１１】本発明のケージ磁心の製造のために使用されるフレームの平面図。
【図１２】誘導器の磁心の側面図。
【図１】
0004708654.tif 000002
【図２】
0004708654.tif 000003
【図２ａ】
0004708654.tif 000004
【図２ｂ】
0004708654.tif 000005
【図３】
0004708654.tif 000006
【図４】
0004708654.tif 000007
【図５】
0004708654.tif 000008
【図６】
0004708654.tif 000009
【図６ａ】
0004708654.tif 000010
【図７】
0004708654.tif 000011
【図８】
0004708654.tif 000012
【図９】
0004708654.tif 000013
【図９ａ】
0004708654.tif 000014
【図１０】
0004708654.tif 000015
【図１１】
0004708654.tif 000016
【図１２】
0004708654.tif 000017